(57)【特許請求の範囲】
【請求項１】
上端に開口を備えるとともに開口端の一部をその他の部分より凹陥させて支承段部を形成したボディ、ならびにボディの開口に覆合し上面に左右方向に細長くて開口を備えたボス部およびボス部の左右両側に一対の取付枠装着部を備えたカバーを含み、少なくともボス部の外形がフラッシュプレートの規格化された１個用以上の大きさの窓孔に嵌合するサイズに形成されているとともに、一対の取付枠装着部が規格化された取付枠に装着可能に形成されているケースと；
ケースのボス部の開口から操作部が露出して配設されてタイマ動作を開始させる操作部と；
電子スイッチ回路および電子スイッチ回路のスイッチングを制御するタイマ制御回路を備えてケース内に収納され、少なくとも電子スイッチ回路の主要部を含む回路部分がボディの開口を覆うように配設された主配線基板に実装されている電子化タイマ回路と；
主配線基板のボス部側の表面側において一部が主配線基板の前後両側縁から突出しているとともに下面に支持脚を突出形成し、この支持脚をボディの支承段部に当接した状態で支持することにより、ボディの開口端に跨座して配設された絶縁基体、ならびに絶縁基体に配設されて操作部の操作により作動して電子化タイマ回路をトリガーするトリガー接点を備えた接点機構と；
を具備していることを特徴とするタイマ装置。
【請求項２】
接点機構は、トリガー接点が主配線基板に回路接続することにより主配線基板に固定されていることを特徴とする請求項１記載のタイマ装置。
【請求項３】
操作部は、ボス部と接点機構との間で挟持されていることを特徴とする請求項１または２記載のタイマ装置。
【請求項４】
接点機構は、絶縁基体がカバーのボス部の内部に収納されており；
操作部は、揺動するスイッチハンドルである；
ことを特徴とする請求項１ないし３のいずれか一記載のタイマ装置。
【請求項５】
接点機構は、絶縁基体の表面に配設されたハンドル反転用板ばねを備えており；
操作部のスイッチハンドルは、下面から突出した脚部を備え、脚部が反転用板ばねに摺接しながら揺動して反転するように構成されている；
ことを特徴とする請求項１ないし４のいずれか一記載のタイマ装置。
【請求項６】
接点機構は、操作部の操作に連動して開閉する負荷接点を備えているとともに、トリガー接点も操作部の操作に連動して開閉するように構成されていることを特徴とする請求項１ないし５のいずれか一記載のタイマ装置。
【請求項７】
接点機構は、トリガー接点および負荷接点がそれぞれ絶縁基板の表面に沿って配設された固定接点板と、基端が絶縁基板に固定されるとともに先端側に固定接点板に離間対向した接点部が形成された可動接点板とから構成され、可動接点板が操作部の操作により固定接点板に接触するように構成されていることを特徴とする請求６記載のタイマ装置。
【請求項８】
電子化タイマ回路は、電子スイッチ回路のスイッチングを制御するタイマ制御回路が主配線基板の一側縁近傍にほぼ直角に垂下して固定されるとともに、ボディの内壁面に沿って配設される付加配線基板に実装されていることを特徴とする請求項１ないし６のいずれか一記載のタイマ装置。
【発明の詳細な説明】
【０００１】
【発明の属する技術分野】
本発明は、規格化された取付枠に装着可能な電子化されたタイマ装置に関する。
【０００２】
【従来の技術】
主として家庭用の屋内配線においては、照明器具のオン、オフを操作するスイッチと、テレビジョン受像機、ラジオなどの固定形の負荷や電気掃除機などの移動形の負荷を電源に接続するためのコンセントとが最も数多く配設される。
【０００３】
しかし、その他にたとえば玄関の照明やトイレの換気扇などの負荷においては、オフ操作後一定時間後に負荷が自動的にオフするのが望ましい場合があり、このような負荷用として遅動スイッチも使用されている。また、負荷の使用目的に応じて遅延時間を、予め設定された範囲で、使用者が任意に都度設定できるように構成したタイマスイッチも使用されている。以下、本明細書においては、これらの遅動スイッチやタイマスイッチを包括的にタイマ装置と呼称する。
【０００４】
一方、屋内配線においては、壁面埋込形配線器具が一般的に採用されており、取付寸法やフラッシュプレートの窓孔寸法などが規格化されていて、原則として異なるメーカーの配線器具であっても互換性があるように構成されている。この場合、埋込用の個々の配線器具は、まず取付枠に取り付けられ、次に壁面に予め埋設された配線ボックス内で所要の配線を行ってから、取付枠を配線ボックスにねじ止めする。最後に、配線ボックスを覆い、かつ配線器具のボス部を前面に露出させてフラッシュプレートを取付枠に取り付けて、配線器具の施工が完了する。
【０００５】
規格化された取付枠は、最少単位の配線器具を３個連接して１個の配線ボックスに取り付けることができるように構成されている。この最少単位を１モジュールという。個々の配線器具は、１モジュール、１．５モジュール、２モジュールまたは３モジュールのいずれかのサイズになるように実際上標準化されている。そして、通常のスイッチや一口用のコンセントは１モジュールのサイズで構成されている。すなわち、配線器具の標準サイズは１モジュールである。
【０００６】
ところで、従来のタイマ装置においては、ぜんまいばねおよび時計機構を用いた機械式のものであった。このものは、殆どが１モジュールサイズに構成されている。このため、他の負荷用の一般のスイッチなどと任意に組み合わせて、最大３個の配線器具を１つの配線ボックスに取り付けることができるので、好評で多用されている。
【０００７】
また、浴室換気スイッチにおいては、一部電子式のものが見受けられるが、このものは照明スイッチ機能が付設されているとはいうものの、３モジュールサイズである。
【０００８】
そこで、本発明者は、先に少なくとも１モジュールサイズに構成可能な電子化されたタイマ装置を発明した。この発明は、特願平１０−６３４８１号として出願されている。この先の出願の発明は、小形化された電子式のタイマ装置であって、遅動スイッチおよびタイマスイッチに対して包括的に適用し得る内容である。
【０００９】
【発明が解決しようとする課題】
これに対して、本発明は、先の出願の発明を基礎としてさらに改良の結果なされたもので、特に遅動スイッチに適用すると効果的である。
【００１０】
本発明は、電子式でありながら、フラッシュプレートの１個用以上の大きさの窓孔に嵌合するボス部を備えていて、信頼性の高い動作を行うタイマ装置を提供することを一般的な目的とする。
【００１１】
また、本発明は、加えて遅動スイッチに好適で構造が比較的簡単なタイマ装置を提供することを他の目的とする。
【００１２】
【課題を達成するための手段】
請求項１の発明のタイマ装置は、上端に開口を備えるとともに開口端の一部をその他の部分より凹陥させて支承段部を形成したボディ、ならびにボディの開口に覆合し上面に左右方向に細長くて開口を備えたボス部およびボス部の左右両側に一対の取付枠装着部を備えたカバーを含み、少なくともボス部の外形がフラッシュプレートの規格化された１個用以上の大きさの窓孔に嵌合するサイズに形成されているとともに、一対の取付枠装着部が規格化された取付枠に装着可能に形成されているケースと；ケースのボス部の開口から操作部が露出して配設されてタイマ動作を開始させる操作部と；電子スイッチ回路および電子スイッチ回路のスイッチングを制御するタイマ制御回路を備えてケース内に収納され、少なくとも電子スイッチ回路の主要部を含む回路部分がボディの開口を覆うように配設された主配線基板に実装されている電子化タイマ回路と；主配線基板のボス部側の表面側において一部が主配線基板の前後両側縁から突出しているとともに下面に支持脚を突出形成し、この支持脚をボディの支承段部に当接した状態で支持することにより、ボディの開口端に跨座して配設された絶縁基体、ならびに絶縁基体に配設されて操作部の操作により作動して電子化タイマ回路をトリガーするトリガー接点を備えた接点機構と；を具備していることを特徴としている。
【００１３】
本発明および以下の各発明において、特に指定しない限り用語の定義および技術的意味は次による。
【００１４】
＜ケースについて＞
ケースは、ボディおよびこれに覆合するカバーを含んで構成される。
【００１５】
ボディは、上端に開口を備え、かつ内部が中空で、そこに電子化タイマ回路、端子金具などの部品または回路ブロックが収納される。また、端子金具に外部から電線を挿入するための電線挿入孔が形成される。さらに、ボディの開口端には、後述する接点機構の絶縁基板の下面四隅に形成された支持脚に対向する位置を他の部分より凹陥させて支承段部が形成されている。
【００１６】
カバーは、上面にボス部を、またボス部の左右両側に一対の平坦な取付枠装着部を、それぞれ備えている。
【００１７】
「ボス部」とは、フラッシュプレートの窓孔にその裏面側から嵌合してフラッシュプレートの外面に露出するための突出した部分をいう。ボス部のフラッシュプレートの外面への露出は、フラッシュプレートの外面と面一またはいくらか突出した状態のいずれでもよい。フラッシュプレートの窓孔は、規格化されていて、１個用、２個用および３個用がある。１個用は、フラッシュプレートの中央に配置されていて、１個のボス部が露出できる。２個用は、フラッシュプレートの中央の上下に１個用の窓孔が２個離間して配置されていて、２個のボス部を露出できる。３個用は、上下に連続して１個の縦長の窓孔として形成されていて、３個のボス部が上下に連続して露出できる。
【００１８】
そうして、本発明においてはボス部は、その外形がフラッシュプレートの１個用以上の大きさの窓孔に嵌合するサイズに形成されている。すなわち、本発明においては、ボス部の外形が１個用の大きさであれば、ケースのその他の部分たとえばボディおよびその開口に覆合するカバーの該当部分が１モジュールサイズでもよいし、１．５モジュールサイズ、２モジュールサイズ、さらには３モジュールサイズであってもよい。また、ボス部がフラッシュプレートの３個用の窓孔に嵌合するサイズであれば、その他の部分も３個用のサイズにすればよい。
【００１９】
ところで、ケースのボディおよびカバーが１モジュールサイズである場合には、その短方向の外形寸法が、規格化された取付枠の細長い長手方向のほぼ１／３に形成される。なお、「ほぼ」というのは、ボス部以外のケースの部分が上記の１／３よりは幾分小さく形成されているものを許容する意味である。
【００２０】
また、ケースのボディおよびカバーが１．５〜３モジュールサイズの場合であっても、上述の「ほぼ」の概念が適用されるものとする。
【００２１】
次に、「取付枠装着部」とは、後述する規格化された取付枠にタイマ装置を取り付けるために機能する部分である。
【００２２】
ボディは、適当な手段によってカバーに固定されることにより、ケースが一体化して構成される。たとえば、ボディにカバーを覆合してから、両者に跨ってバンド状で金属製の結合具を添設し、結合具を加締めてボディをカバーに固定することができる。また、カバーおよびボディのいずれか一方から係合脚を一体に形成し、他方に係合脚が係合する係止突起または段部を一体に形成して、ボディとカバーとを単に合わせるだけで係合脚を係止突起または段部に係止させて、両者を固定してもよい。さらに、両者の接合面を接着剤または超音波溶接などによって固着することができるし、ねじなどの固着具を用いて結合してもよい。
【００２３】
最後に、ケースの構成材料について言及すると、ケースは、合成樹脂のような絶縁性材料にて形成されていることが望ましいが、これは必須ではない。導電性材料からなる場合であっても、収納部品をケースに対して絶縁しておけばよい。
【００２４】
＜操作部について＞
操作部は、ボス部に配設されており、したがって一部がフラッシュプレートから外部に露出し、使用者がタイマ動作を行わせる場合に操作する部分である。そして、操作により少なくとも後述する電子化タイマ回路がトリガーされてタイマ動作時間が開始される。
【００２５】
また、操作部は、複数の異なる負荷回路を各別に、しかし連動的に制御するように操作し得るように構成することができる。たとえば、トイレ用遅動スイッチなどにおいて、照明用の負荷回路と換気扇の負荷回路とに対応するため、前者には機械的な開閉接点をタイマ制御なしに操作し、後者には電子化タイマ回路がトリガーされてタイマ制御を行うように操作する構成にすることができる。この場合、操作部は、各付加回路の制御に関して共通に作用する。
【００２６】
＜電子化タイマ回路について＞
電子化タイマ回路とは、負荷回路のオン、オフ動作およびそのタイマ制御が電子回路によって構成されているものをいう。本発明を実施するに際して、電子化タイマ回路は、負荷回路をオン、オフする電子スイッチ回路と、タイマ制御を行うタイマ制御回路とにより構成することができる。
【００２７】
電子スイッチ回路は、たとえば半導体スイッチ素子、雑音防止回路素子およびサージ吸収素子などを含むパワー系回路素子ならびに端子金具などにより構成することができる。なお、その具体的回路構成は自由である。
【００２８】
また、電子化タイマ回路をケース内に実装するに際して、少なくとも電子スイッチ回路の主要部を含む回路部分は、主配線基板に実装される。要すれば、タイマ制御回路の一部かたは全部およびその他の回路部分も主配線基板に一緒に実装することができる。しかし、設計が要求するならば、主としてタイマ制御回路の一部または全部を付加配線基板を用いてそこに実装することができる。この場合、付加配線基板を主配線基板に固定するか、さらに加えて配線することによって固定すると、付加配線基板の支持、配線基板間の配線およびケースへの収納作業の面で都合がよい。
【００２９】
さらに、電子化タイマ回路は、トリガーされたときに電子スイッチ回路をオンして、タイマ時間終了により同回路をオフするように作動してもよいし、トリガーされたときに電子スイッチ回路をオフして、タイマ時間終了により同回路をオンするように作動してもよい。また、トリガーされる以前からオン状態にあった負荷回路用スイッチ回路をタイマ時間終了時にオフするように構成してもよい。
【００３０】
＜接点機構について＞
接点機構は、少なくとも電子化タイマ回路をトリガーするために配設されるもので、主配線基板のボス部側の表面側において一部が後述する構造により主配線基板の前後両側縁から突出してボディの開口端に跨座して配設された絶縁基体、ならびに絶縁基体に配設されて操作部の操作により作動して電子化タイマ回路をトリガーするトリガー接点を少なくとも備えて配設されている。
【００３１】
すなわち、絶縁基体は、主配線基板のボス部側の表面に配設されているが、その一部が主配線基板の前後両側縁から突出しているとともに、絶縁基板に支持脚を形成し、この支持脚がボディの開口端に形成した支承段部に当接することにより、ボディの開口端に跨座している。なお、好適には主配線基板の面に沿って延在する表面をボス部側に備える。また、絶縁基体の主配線基板から突出した部分が跨座するボディの開口端には、その一部分を、その他の部分より凹陥させて支承段部を形成することができる。この態様において、絶縁基板は、その四隅に支持脚を突出させる。これにより、接点機構がボディに対して所定位置からずれないようにすることができる。
【００３２】
トリガー接点は、絶縁基体の好適にはボス部側の表面に配設されて、操作部の操作に応じて作動して電子化タイマ回路をトリガーする。トリガー接点は、電子化タイマ回路が保持機能を備えていれば、一時的に開閉するだけでトリガーすることができる。しかし、連続閉成中は電子化タイマ回路を連続的にオンまたはオフさせ、開放と同時にタイマ動作を開始して所定時間後にオフまたはオンさせるように構成することができる。
【００３３】
また、トリガー接点に加えて負荷接点を併設することができる。この場合の負荷接点は、操作部の操作によりタイマ制御なしに直接開閉を行う。たとえば、トイレ用遅動スイッチにおいては照明負荷を開閉するのに利用される。また、電子化タイマ回路は、換気扇負荷をタイマ制御するのに利用することができる。この構成であると、照明を操作の都度開閉し、換気扇を照明オンと同時にオンさせ、照明オフ後所定時間の間換気扇を自動運転することができる。
【００３４】
＜その他の構成について＞
１．.端子金具について
タイマ装置には、屋内配線を結線するために、端子金具を付設することができる。この場合の端子金具には、必要に応じて自己鎖錠片を併用することにより、絶縁被覆を除去した電線を電線挿入孔からケース内へ挿入するだけで、自己鎖錠片が電線を端子金具に圧接して所要の接続を得られるように構成することができる。また、この場合に、さらにリリース釦を付設することにより、接続されている電線に当接している鎖錠片を強制的に電線から離間させて接続を解除することができるように構成することもできる。
【００３５】
上記のように、自己鎖錠片およびリリース釦を端子金具に付設する場合、主配線基板の好適には下面に予め端子金具を実装しておくことにより、ボディ内部の電線挿入孔の周囲に予め自己鎖錠片およびリリース釦を組み込み、その後電子化タイマ回路をボディに落とし込むことにより、同様に容易に組み立てることができる。また、場合によっては、端子金具内に予め自己鎖錠片およびリリース釦を組み付けてから、ボディに落とし込むようにしてもよい。端子金具の構造によっていずれか好都合の態様を選択すればよい。
【００３６】
２．動作表示部について
動作表示部は、所在表示、タイマ動作待機またはタイマ動作などを表示するもので、必要に応じて適当な位置に付設される。好適には発光表示手段、たとえば発光ダイオードやネオン放電表示管などを主配線基板に実装し、かつ接点機構および操作部を通過して外部に発光を導くように構成することができる。また、動作表示は、操作部を操作したとき、およびタイマ動作中に消灯し、タイマ動作終了と同時に点灯するように構成することができる。
【００３７】
＜本発明の作用について＞
本発明のタイマ装置の一般的な使用態様としては、壁面埋込配線器具のように設置されて使用される。すなわち、本発明のタイマ装置をケースの一部を構成するカバーのボス部の左右両側にある取付枠装着部を取付枠に装着し、必要な配線をしてから、壁面に埋設した配線ボックスなどにボックスねじを用いて取り付ける。次に、フラッシュプレートを取付枠にプレートねじを用いて取り付ける。すると、タイマ装置のボス部はフラッシュプレートの窓孔から露出する。
【００３８】
本発明のタイマ装置のケース全体が１モジュールサイズである場合には、タイマ装置の他に通常の１モジュールサイズのスイッチなどの配線器具を最大２個まで併設することができる。フラッシュプレートの窓孔は、他の配線器具の併設の有無およびその個数に応じて１個用ないし３個用の中から適当なものを選択すればよい。たとえば、本発明のタイマ装置がボディおよびカバーが１．５モジュールサイズのケースを備えている場合には、他に１モジュールサイズのスイッチなどを１個または１．５モジュールサイズのスイッチなどを１個併設することができる。また、同様にタイマ装置のケースが２モジュールサイズの場合には、１モジュールサイズのスイッチなどを１個併設できる。
【００３９】
本発明のタイマ装置を動作させるには、操作部を操作すればよい。この操作により、電子化タイマ回路は、その構成に応じて、負荷回路を所定時間の間タイマ制御したり、トリガー接点のオン中負荷回路を連続的にさせ、さらに引き続いてオフ後所定時間タイマ制御したりする。
【００４０】
本発明において、接点機構は、主配線基板のボス部側の表面に配設されている。そして、接点機構の絶縁基板の一部が主配線基板の前後両側縁から突出しているとともに、下面に支持脚を形成している。そうして、接点機構は、上記支持脚がボディの開口端に形成した支承段部に当接していることにより、ボディの開口端に跨座しているので、トリガー接点に作用する押圧力がボディに受け止められる。このため、操作部の操作に伴い不都合な応力が主配線基板に作用しない。したがって、不都合な応力が繰り返し主配線基板に作用して主配線基板が破損したり、配線ランドにクラックが生じたりするような不具合を防止できるとともに、トリガー接点またはおよび負荷接点の開閉動作の確実性および信頼性を向上させる。
【００４１】
また、接点機構を主配線基板の表面に配設するに際して、絶縁基体を主配線基板に固定すれば、ボディに収納するのが容易になる。
【００４２】
さらに、接点機構を主配線基板の表面に固定すれば、接点機構をボディに組み立てる際に同時に、主配線基板をボディ内へ収納することができ、組立が容易になる。加えて、主配線基板に端子金具を配設すれば、ボディに対する端子金具の位置を規制でき、屋内信頼性の配線結線の信頼性が高くなる。
【００４３】
さらにまた、接点機構の絶縁基体を、その下面側に空間が形成されるように枠状に構成することにより、主配線基板の上面側にもタイマ回路の回路部品や動作表示装置の動作表示素子たとえば発光ダイオードなどを実装することができる。これにより実装密度を高めることができる。
【００４４】
請求項２の発明のタイマ装置は、請求項１記載のタイマ装置において、接点機構は、トリガー接点が主配線基板に回路接続することにより主配線基板に固定されていることを特徴としている。
【００４５】
本発明は、接点機構を主配線基板に固定する好適な構成を規定している。すなわち、接点機構は、電気回路上主配線基板と配線されるので、本発明のように構成することにより、配線が容易で、しかも配線の信頼性が向上する。
【００４６】
また、接点機構をボディの開口端に跨座させることにより、主配線基板をボディ内の所定の位置に収納することができ、主配線基板および接点機構のケースに対する組立作業が容易になる。
【００４７】
また、回路接続することにより接点機構を主配線基板に固定するので、格別な固定手段が必要ない。たとえば、トリガー接点などの接点から一体に舌片を突出しておき、これを主配線基板の所定の位置にはんだ接続付けすることにより接続および固定を行う。
【００４８】
請求項３の発明のタイマ装置は、請求項１または２記載のタイマ装置において、操作部は、ボス部と接点機構との間で挟持していることを特徴としている。
【００４９】
本発明は、操作部の支持構造を簡単にした構成を規定している。これにより、操作部、ボス部または接点機構の構造が簡単になる。
【００５０】
請求項４の発明のタイマ装置は、請求項１ないし３のいずれか一記載のタイマ装置において、接点機構は、絶縁基体がカバーのボス部の内部に収納されており；操作部は、揺動するスイッチハンドルである；ことを特徴としている。
【００５１】
本発明は、接点機構の好適な配置および操作部の好適な構成を規定している。すなわち、操作部をスイッチハンドルにすることにより、通常のスイッチと同じ感覚で操作できるので、使用者に違和感を与えないとともに、操作が容易である。また、操作部を薄く、すなわちボス部内で多くの空間を占有しないように構成することができる。このため、接点機構をボス部内に収納することができる。これに伴い、電子化タイマ回路のボディ内の収納スペースを大きくすることができる。
【００５２】
請求項５の発明のタイマ装置は、請求項４記載のタイマ装置において、接点機構は、絶縁基体の表面に配設されたハンドル反転用板ばねを備えており；操作部のスイッチハンドルは、下面から突出した脚部を備え、脚部が反転用板ばねに摺接しながら揺動して反転するように構成されている；ことを特徴としている。
【００５３】
本発明は、スイッチハンドルの反転構造の好適な構成を規定している。すなわち、スイッチハンドルに脚部を形成して、脚部を接点機構の絶縁基体の表面に配設した反転用板ばねに摺接させているので、反転して接点を速動的に開閉するとともに、薄形にしてタイマ装置の小形化に効果的である。ハンドルの脚部は、操作部と一体に成形してもよいし、操作ばねを湾曲状に整形してハンドルに反転に伴って変位可能に取り付けることによって形成してもよい。後者の場合には、接点機構に配設するハンドル反転用板ばねの変位量を少なくして、ハンドル反転用板ばねを薄形化できる。
【００５４】
ハンドル反転用板ばねは、たとえば山形状に突出してスイッチハンドルの脚部に圧接する稜線部と、稜線部からその前後方向に形成された第１および第２の斜面部とを備えている。そして、スイッチハンドルは、その脚部がハンドル反転用板ばねの第１の斜面部に圧接した状態で第１の安定状態となって停止している。このときトリガー接点は、開放すなわちオンしている。この状態で電子化タイマ回路はオフまたはオンしているように構成される。なお、後述するように負荷接点を備えている場合、負荷接点も開放すなわちオンしている。
【００５５】
次に、スイッチハンドルが操作されて揺動を開始すると、脚部はハンドル反転用板ばねの第１の斜面部に圧接した状態のまま回動する。このとき、ハンドル反転用板ばねは変形する。そして、スイッチハンドルがさらに揺動して、やがて脚部が稜線部に達すると、ハンドルの脚部が第２の斜面部をすべり降りるので、スイッチハンドルは速動的に反転し、第２の斜面部に沿って圧接しながら摺動して、第２の安定状態となって停止する。第２の安定状態において、トリガー接点はオンする。トリガー接点がオンすると、電子化タイマ回路がオンまたはオフする。
【００５６】
請求項６の発明のタイマ装置は、請求項１ないし５のいずれか一記載のタイマ装置において、接点機構は、操作部の操作に連動して開閉する負荷接点を備えているとともに、トリガー接点も操作部の操作に連動して開閉するように構成されていることを特徴としている。
【００５７】
本発明は、トイレ用の遅動スイッチに好適な接点配置を規定している。すなわち、操作部の操作によってその都度タイマ動作なしに直接開閉する第１の負荷回路たとえば照明負荷と、タイマ制御される第２の負荷回路たとえば換気扇負荷とを共通の操作で各別に制御する構成を規定している。そして、第１の負荷回路は、負荷接点により直接開閉される。負荷接点は、たとえば操作部の第１の操作によりオンし、第２の操作によりオフする。このような操作に好適な操作部は、揺動するスイッチハンドルや都度押圧操作され、最初の押圧で第１の操作が行われ、次の押圧で第２の操作が行われる押ボタンなどを採用することができる。
【００５８】
これに対して、第２の負荷回路は、トリガー接点を介して制御される電子化タイマ回路で制御され、トリガー接点は開閉により電子化タイマ回路を請求項５において記述したように制御する。
【００５９】
請求項７の発明のタイマ装置は、請求６記載のタイマ装置において、接点機構は、トリガー接点および負荷接点がそれぞれ絶縁基板の表面に沿って配設された固定接点板と、基端が絶縁基板に固定されるとともに先端側に固定接点板に離間対向した接点部が形成された可動接点板とから構成され、可動接点板が操作部の操作により固定接点板に接触するように構成されていることを特徴としている。
【００６０】
本発明は、接点機構の好適な構成を規定している。すなわち、トリガー接点および負荷接点をそれぞれ接点板により形成して、それらを絶縁基体の表面に沿って配設しているので、全体を薄く、しかも小形に構成することができる。そのため、接点機構をボス部に収納して配設する場合に好適である。
【００６１】
トリガー接点は、電子化タイマ回路の制御回路を開閉するだけであるから、一般的には小さな接点容量でよい。負荷接点は、負荷回路を直接開閉するので、負荷電流の開閉に支障ないような接点容量を備えているように構成する。
【００６２】
請求項８の発明のタイマ装置は、請求項１ないし７のいずれか一記載のタイマ装置において、電子化タイマ回路は、電子スイッチ回路のスイッチングを制御するタイマ制御回路が主配線基板の一側縁近傍にほぼ直角に垂下して固定されるとともに、ボディの内壁面に沿って配設される付加配線基板に実装されていることを特徴としている。
【００６３】
本発明は、電子化タイマ回路における制御回路の配置の好適な構成を規定している。すなわち、制御回路を付加配線基板に実装し、付加配線基板を主配線基板に対してＬ字形になるように固定して配置している。主配線基板に付加配線基板を固定するには、たとえば主配線基板の一側縁近傍にスリットを形成して、付加配線基板を上部を挿入し、両配線基板の所要部分間をはんだ付けして両者配線間を配線すると、両者は固定される。
【００６４】
また、付加配線基板をボディ内の側面に沿って配設することにより、ボス部内の空間を操作部と接点機構の収納のために有効に利用することができる。
【００６５】
さらに、負荷配線基板を収納するために、ボディ内に付加配線基板の一部または全部を覆う隔壁を配設して、付加配線基板を保護し、あるいは付加配線基板のボディ内への挿入をガイドさせることができる。
【００６６】
【発明の実施の形態】
以下、本発明の実施の形態を図面を参照して説明する。
【００６７】
図１は、本発明のタイマ装置の一実施形態における負荷回路との結線を示す回路図である。
【００６８】
図において、ＡＳは交流電源、ＴＭはタイマ装置、Lは照明負荷、Ｆは換気扇負荷である。本実施形態は、本発明をトイレ用の遅動スイッチに適用したものである。
【００６９】
交流電源ＡＳは、商用１００Ｖ交流電源である。照明負荷Ｌは、トイレの照明を行う。換気扇負荷Ｆは、トイレの換気扇でトイレ内を換気する。
【００７０】
タイマ装置ＴＭは、以下説明する構成を備えた本実施形態におけるものである。ケース１、操作部２、端子ｔ０、ｔ１、ｔ２、負荷接点ＬＣ、トリガー接点ＴＣおよびタイマ電子化タイマ回路ＥＴＣを備えている。
【００７１】
ケース１は、内部に端子ｔ０、ｔ１、ｔ２、負荷接点ＬＣ、トリガー接点ＴＣおよびタイマ電子化タイマ回路ＥＴＣを内蔵するとともに、操作部２をケース１の外部に露出するように支持している。
【００７２】
操作部２は、スイッチハンドル構造をなしていて、図において、操作によりオン方向であるところの時計回り方向へ回動したときに、通常のスイッチと同様にタイマ制御なしに負荷接点ＬＣを直接オンさせる。また、トリガー接点ＴＣも同時にオンする。次に、オフ方向であるところの半時計回り方向へ回動したときに、負荷接点ＬＣおよびトリガー接点ＴＣをオフさせる。
【００７３】
端子ｔ０は、２個直結構造であり、交流電源ＡＳの一極に接続している共通線に接続する。端子ｔ１は、照明負荷Ｌの一端に接続する。端子ｔ２は、換気扇負荷Ｆの一端に接続する。
【００７４】
照明負荷Ｌは、その他端を交流電源ＡＳの他極に接続している。
【００７５】
換気扇負荷Ｆは、その他端を交流電源ＡＳの他極に接続している。
【００７６】
次に、回路動作について説明する。
【００７７】
本実施形態においては、トイレの使用者がトイレを使用するときに、タイマ装置の操作部２をオン方向へ操作すると、負荷接点ＬＣがオンして照明負荷Ｌが点灯Ｂする。また、同時にトリガー接点ＴＣがオンして電子化タイマ回路ＥＴＣがオンし、換気扇負荷Ｆが作動を開始する。この状態は、使用者がトイレを使用中継続する。トイレの使用後、使用者が操作部２をオフ方向へ操作すると、負荷接点ＬＣおよびトリガー接点ＴＣがオフする。これにより、照明負荷Ｌが消灯する。また、トリガー接点ＴＣがオフすると、電子化タイマ回路ＥＴＣは、オン状態のままタイマ動作を開始する。そして、換気扇負荷Ｆは、継続して作動して換気による消臭を行う。そうして、タイマ時間が終了すると、電子化タイマ回路ＥＴＣはオフとなり、換気扇負荷Ｆの作動を停止させる。
【００７８】
図２は、本発明のタイマ装置の一実施形態における内部回路構成を示す回路図である。
【００７９】
図において、図１と同一部分については同一符号を付して説明は省略する。タイマ装置の内部回路は、端子ｔ０、ｔ１、ｔ２、負荷接点ＬＣ、電子化タイマ回路ＥＴＣ、トリガー接点ＴＣおよび動作表示部ＯＤからなる。また、以上の各構成要素のうち、端子ｔ０、ｔ１、ｔ２、負荷接点ＬＣ、電子化タイマ回路ＥＴＣの一部を除いた残余部分、トリガー接点ＴＣおよび動作表示部ＯＤは、主として主配線基板ＰＢ１に実装されている。電子化タイマ回路ＥＴＣの主として後述するタイマ制御回路ＣＣを構成する一部は、付加配線基板ＰＢ２に実装されている。そして、主配線基板ＰＢ１と付加配線基板ＰＢ２との間は、中継端子ｉｔ１ないしｉｔ４を介して電気的および機械的に接続されている。
【００８０】
負荷接点ＬＣは、端子ｔ０、ｔ１間に接続されている。
【００８１】
電子化タイマ回路ＥＴＣは、電子スイッチ回路ＥＳ、およびタイマ制御回路ＣＣからなる。
【００８２】
電子スイッチ回路ＥＳは、サージ吸収素子ＳＡ、雑音防止回路回路ＮＦおよび無接点スイッチＮＣＳからなる。サージ吸収素子ＳＡは、端子ｔ０、ｔ１間に接続されている。雑音防止回路素子２は、インダクタＬおよびコンデンサＣ１からなる。インダクタＬは、線路に直列に挿入されている。コンデンサＣ１は、端子ｔ０、ｔ１間に接続されている。
【００８３】
無接点スイッチＮＣＳは、トライアックTRIACおよびゲート回路ＧＣからなる。トライアックTRIACは、端子ｔ０、ｔ１間に接続されている。ゲート回路ＧＣは、全波整流回路ＦＢＲ、抵抗器Ｒ１およびコンデンサＣ２からなる。全波整流回路ＦＢＲは、その交流入力端の一方がトライアックTRIACの非ゲート側の一方の主極に、他方がゲートに、それぞれ接続している。抵抗器Ｒ１およびコンデンサＣ２は、ゲート・ゲート側の主極間に並列接続している。
【００８４】
タイマ制御回路ＣＣは、全波整流回路ＦＢＲの直流出力端間に接続され、トランジスタＱ１およびツェナーダイオードＺＤ１の直列回路からなるゲート電流供給回路ＧＦ、トランジスタＱ２、Ｑ３およびダイオードＤを主体とするタイマ動作スタート回路ＳＴ、タイマ用ＩＣTIC、タイマ用コンデンサＣ３、ならびにトランジスタＱ４を主体とする保持回路ＨＣからなる。ゲート電流供給回路ＧＦは、トランジスタＱ１のコレクタが全波整流回路ＦＢＲの直流出力端の正極に接続し、エミッタが中継端子ｉｔ２およびツェナーダイオードＺＤ１を直列に介して同じく負極に接続していて、トライアックTRIACをオンさせる際のゲート電流が流れる。また、トランジスタＱ１のコレクタ・ベース間には抵抗器Ｒ７およびコンデンサＣ４の配列回路が接続されている。タイマ動作スタート回路ＳＴは、トランジスタＱ２、Ｑ３が反転的に接続され、トランジスタＱ２のベースに抵抗器Ｒ２を介してベース電流が供給されたときに、トランジスタＱ２がオンし、トランジスタＱ３がオフして、タイマ用ＩＣTICのＭＲ端子に電圧を印加し、０端子からオン出力を得る。また、ダイオードＤは、そのアノードが中継端子ｉｔ１に接続し、カソードが中継端子ｉｔ２に接続している。タイマ用コンデンサＣ３は、その一端がタイマ用ＩＣTICのＣ１０端子に接続し、他端が抵抗器Ｒ３、Ｒ４を介してＲＩＣ端子、ＲＳ端子にそれぞれ接続している。保持回路ＨＣは、トランジスタＱ４のベースがベース抵抗器Ｒ５を介してタイマ用ＩＣTICの０端子に接続し、コレクタが抵抗器Ｒ６、中継端子ｉｔ３を直列に介してトランジスタＱ１のベースに接続し、エミッタが中継端子ｉｔ４を介して全波整流回路ＦＢＲの直流出力端の負極に接続している。
【００８５】
トリガー接点ＴＣは、その一端が抵抗器Ｒ７を介して全波整流回路ＦＢＲの直流出力端の正極に接続し、他端が抵抗器Ｒ８を介して中継端子ｉｔ１に接続している。
【００８６】
動作表示部ＯＤは、発光ダイオードＬＥＤおよび電流安定要素Ｒ９の直列回路からなり、全波整流回路ＦＢＲの直流出力端間に極性を一致させて接続されている。
【００８７】
以下、回路動作について説明する。
【００８８】
端子ｔ０、ｔ１間に印加されている交流電圧は、全波整流回路ＦＢＲにより整流されるので、その直流出力端間には半波整流波形の直流電圧が出力されている。  タイマ装置の操作部の操作によりトリガー接点ＴＣが負荷接点ＬＣとともにオンすると、タイマ動作スタート回路ＳＴが動作する。すなわち、抵抗器Ｒ７、トリガー接点ＴＣ、抵抗器Ｒ８、中継端子ｉｔ１を介して抵抗器Ｒ２およびＲ１０の直列回路に全波整流回路ＦＢＲの直流出力電圧が印加され、抵抗器Ｒ１０の端子電圧に応じたベース電流がトランジスタＱ２に流れる。また、抵抗器Ｒ７、トリガー接点ＴＣ、抵抗器Ｒ８、中継端子ｉｔ１、ダイオードＤを介してツェナーダイオードＺＤ１の両端に上記直流電圧が印加される。これにより、ツェナーダイオードＺＤ１によりクランプされた電圧がツェナーダイオードＺＤ２を介してコンデンサＣ５の両端に印加されるので、コンデンサＣ５によって平滑化された直流電圧がその両端に得られる。この平滑化電圧は、トランジスタＱ２、Ｑ３のコレクタ、エミッタ間に抵抗器Ｒ１１、Ｒ１２を介して印加される。また、タイマ用ＩＣTICにも印加され、スタンバイ状態になる。このため、トランジスタＱ２はオンする。その結果、トランジスタＱ３がオフし、タイマ用ＩＣTICのＭＲ端子の電位が低下する。これにより、タイマ用ＩＣTICが動作して、その０端子からオン信号が出力され、抵抗器Ｒ５を介してトランジスタＱ４にベース電流が流れるため、保持回路ＨＣのトランジスタＱ４はオンする。これに伴いトランジスタＱ１のベース電位が低下するため、抵抗器Ｒ７を介して全波整流回路ＦＢＲの正極からベース電流が流れてトランジスタＱ１がオンする。トランジスタＱ１がオンすると、ゲート電流供給回路ＧＦすなわちトランジスタＱ１、中継端子ｉｔ２を介して全波整流回路ＦＢＲの直流出力端間に電流が流れ、タイマ用ＩＣTICに直流電圧を引き続き印加する。また、全波整流回路ＦＢＲの直流出力端間のゲート電流供給回路ＧＦに電流が流れることにより、トライアックTRIACに所定のゲート電流が流れる。このため、無接点回路ＮＣＳのトライアックTRIACはオンし、電子化タイマ回路ＥＴＣの電子スイッチ回路ＥＳは、オン状態となる。なお、この状態は、タイマ用ＩＣTICがオン信号を送出している間継続する。すなわち、トランジスタＱ１は、保持回路ＨＣにより自己保持される。
【００８９】
次に、タイマ装置の操作部の操作により、トリガー接点ＴＣがオフすると、タイマ動作スタート回路ＳＴの抵抗器Ｒ２、Ｒ１０への電圧印加が解除されるので、トランジスタＱ２がオフ、Ｑ３がオンして、タイマ用ＩＣTICのＭＲ端子の電位が低下するので、タイマ用ＩＣTICはタイマ動作を開始する。なお、この時点では０端子からのオン信号は、引き続き送出されていて、したがって電子化タイマ回路ＥＴＣはオン状態を維持している。
【００９０】
やがてタイマ用ＩＣTICにおけるタイマ時間が終了すると、その０端子からのオン信号が停止する。これにより、保持回路ＨＣのトランジスタＱ４がオフして保持が解除されるので、ゲート電流供給回路ＧＦのトランジスタＱ１のベース電位が上昇してオフする。その結果、ゲート電流が遮断されるので、無接点スイッチＮＣＳを構成するトライアックTRIACがオフする。
【００９１】
一方、動作表示部ＯＤは、トライアックTRIACがオフ状態のときに、全波整流回路ＦＢＲの直流出力により発光ダイオードＬＥＤが点灯する。トライアックTRIACがオン状態のときは、トランジスタＱ１がオンするため、上記直流出力電圧がツェナーダイオードＺＤ１のツェナー電圧にクランプされ、発光ダイオードＬＥＤの電位障壁に達しないので、発光ダイオードＬＥＤは消灯する。
【００９２】
図３は、本発明のタイマ装置の一実施形態における一部を除去して示す正面図である。
【００９３】
図４は、同じく内部機構を説明する一部を除去して示す断面図である。
【００９４】
タイマ装置TMは、ケース１、操作部２、接点機構３、電子化タイマ回路ＥＴＣ、
端子ｔ０、ｔ１、ｔ２、動作表示部ＯＤから構成されている。なお、図３においては、右側の結合具を省略している。図４においては、両方の結合具、端子およびハンドル反転用板ばねを省略しているとともに、電子化タイマ回路ＥＴＣを点線で示している。以下、各構成要素ごとに説明する。
【００９５】
＜ケース１について＞
ケース１は、ボディ１ａ、カバー１ｂおよび結合具１ｃからなる。
【００９６】
（ボディ１ａについて）
図５は、本発明のタイマ装置の一実施形態におけるボディを示す平面図である。
【００９７】
図６は、図５におけるVI−VI´線に沿う断面図である。
【００９８】
図７は、図５におけるVII−VII´線に沿う断面図である。
【００９９】
図８は、図５におけるVIII−VIII´線に沿う断面図である。
【０１００】
図９は、図５におけるIX−IX´線に沿う断面図である。
【０１０１】
なお、図３および図４と同一部分については同一符号を付して説明は省略する。
【０１０２】
ボディ１ａは、上端が開口した箱状をなし、内部が中央の回路部品収納室１ａ１と、その両側に位置する端子収納室１ａ２、１ａ２に一対の隔壁１ａ３、１ａ３を介して区画されている。回路部品収納室１ａ１は、上方から見たときにエ字形をなしていて、点線で示す付加配線基板ＰＢ２の挿入を案内し、また適度に隔離して収納できるようになっている。また、端子収納室１ａ２の底面には電線挿入孔１ａ４およびリリース釦操作孔１ａ５が形成されている。図３に示すように、ボディ１ａの外面の前面および背面には、両側に係止段部１ａ６および結合具嵌合溝１ａ７が一体成形されている。ボディ１ａの開口端は、正面視において中央の回路部品収納室１ａ１の奥行が端子収納室１ａ２のそれより相対的に大きくなっている。したがって、回路部品収納室１ａ１と端子収納室１ａ２の間に段差部が形成されるとともに、この段差部を一段凹陥させて後述する接点機構３の支承段部１ａ８を開口端に前後左右に４個形成している。
【０１０３】
（カバー１ｂについて）
図１０は、本発明のタイマ装置の一実施形態におけるカバーを示す正面図である。
【０１０４】
図１１は、同じく平面図である。
【０１０５】
図１２は、同じく底面図である。
【０１０６】
図１３は、同じく中央縦断面図である。
【０１０７】
カバー１ｂは、ボディ１ａの開口端に覆合され、中央にボス部１ｂ１を、その両側に平坦な取付枠装着部１ｂ２、１ｂ２を、また取付枠装着部１ｂ２、１ｂ２の下面に嵌入部１ｂ３を、それぞれ備えている。ボス部１ｂ１は、形状および寸法が大ボス形配線器具の規格に適合する。また、ボス部１ｂ１の上面には、後述する操作部２が挿通する開口１ｂ１１が形成されている。さらに、ボス部１ｂ１は、その内部に中空部１ｂ１２が形成され、中空部１ｂ１２の前後の内側面には正対する一対の操作部枢支溝１ｂ１３が形成されている。取付枠装着部１ｂ２は、後述する結合具１ｃと協働して規格化された取付枠に装着できるように構成されている。そして、取付枠装着部１ｂ２の側面には、ボディ１ａの結合具嵌合溝１ａ７に整合する結合具係止溝１ｂ２１を形成している。嵌入部１ｂ３は、カバー１ｂをボディ１ａの開口に覆合させたときに位置がずれないようにボディ１ａ内の四隅部分に嵌合する。
【０１０８】
（結合具１ｃについて）
図３に示すように、結合具１ｃは、金属板を打ち抜き、かつ折り曲げてコ字状に形成され、両足部１ｃ１の先端に加締め部１ｃ２を形成し、中間部に取付用耳部１ｃ３および係合片１ｃ４を形成している。そして、ボディ１ａの開口端に覆合したカバー１ｂの取付枠装着部１ｂ２に結合具１ｃの中間部を跨座させて、両足部１ｃ１を取付枠装着部１ｂ２の結合具係止溝１ｂ２１およびボディ１ａの外側面の結合具嵌合溝１ａ７内に嵌合して垂下させ、加締め部１ｃ２を加締めて係止段部１ａ６に係止させることによってケース１を一体化させている。係合片１ｃ４はボス部１ｂ１の側面に当接し、取付用耳部１ｃ３がケース１の両端面から正面視において、両側方へ突出させている。なお、係止用耳部２１ｃ３および係合片２１ｃ４は、本実施形態のタイマ装置を取付枠（図示しない。）に装着する場合に、使用される。
【０１０９】
（操作部３について）
図１４は、本発明のタイマ装置の一実施形態における操作部を示す正面図である。
【０１１０】
図１５は、同じく平面図である。
【０１１１】
図１６は、同じく中央縦断面図である。
【０１１２】
図１７は、同じく脚部を構成する操作ばねを示す拡大正面図である。
【０１１３】
図１８は、同じく拡大平面図である。
【０１１４】
図１９は、同じく表示窓を示す拡大平面図である。
【０１１５】
図２０は、同じく拡大中央縦断面図である。
【０１１６】
図２１は、同じく透明カバーを示す中央縦断面図である。
【０１１７】
なお、図１５および図１６では脚部２ｄの図示を省略している。
【０１１８】
操作部２は、スイッチハンドル構造をなしていて、上面が緩やかな凹曲面を形成している操作部本体２ａ、表示窓２ｂおよび操作部本体２ａを被覆した透明カバー２ｃからなる。
【０１１９】
操作部本体２ａは、その下端周縁から外方へ突出したフランジ部２ａ１、操作部本体２ａの前後両側面中央部の下部から外側方へ突出した枢軸部２ａ２、操作部本体２ａの前後両側面の下部から下方へ突出した脚部２ａ３および表示窓用通孔２ａ４を備えている。枢軸部２ａ２は、その一対が操作部２の前後に正対して操作部本体２ａと一体に整形されていて、さらにその上面が山形状をなしている。そして、ケース１のカバー１ｂにおけるボス部１ｂ１内の中空部１ｂ１２に形成された一対の操作部枢支溝１ｂ１３に押し付けられて回動自在に係合する。脚部２ａ３は、図３に示すように、操作部本体２ａの前後側面の下端面に一体成形により突出した突部２ａ３１および操作ばね２ａ３２によって構成されている。すなわち、突部２ａ３１は、枢軸部２ａ２に連続して逆三角形状に形成されている。操作ばね２ａ３２は、図１７および図１８に示すように、細長い板ばねの中央に逆三角形上に折り曲げた当接部２ａ３２１、当接部２ａ３２１から左右方向へ延在する平坦部２ａ３２２、および平坦部２ａ３２２の端部の両側から起立する起立部２ａ３２２、２ａ３２４を備えている。そして、当接部２ａ３２１を突部２ａ３１に合わせ、平坦部２ａ３２２を操作部本体２ａの前後側面の下端面に添接し、起立部２ａ３２２、２ａ３２４で操作部本体２ａの前後側面を前後から挟持することにより、操作ばね２ａ３２を操作部本体２ａに装着している。表示窓用通孔２ａ４は、操作部本体２ａの上面に貫通して長円形に形成され、内周縁に係止段部２ａ４１および係止爪嵌合溝２ａ４２を備えている。
【０１２０】
表示窓２ｂは、図１９および図２０に示すように、軟質の透明質合成樹脂を成形して長円形の伏せ盆状をなし、一対の係止脚２ｂ１、２ｂ１を一体に備えている。そして、操作部本体２ａの表示窓用通孔２ａ４に嵌合し、下面が係止段部２ａ４１に当接した状態で、係止脚２ｂ１、２ｂ１を係止爪嵌合溝２ａ４２に挿通させし、かつ操作部本体２ａの内面に係止することにより、操作部本体２ａに装着されている。
【０１２１】
透明カバー２ｃは、図２１、図３および図４に示すように、操作部本体２ａと概略相似形をなしていて、の外側を包囲するように摩擦係合により装着されている。
【０１２２】
＜接点機構３について＞
図２２は、本発明のタイマ装置の一実施形態における接点機構を示す平面図である。
【０１２３】
図２３は、図２２のXXII−XXII´線に沿う断面図である。
【０１２４】
図２４は、本発明のタイマ装置の一実施形態における絶縁基板を示す平面図である。
【０１２５】
図２５は、図２４のXXV−XXV´線に沿う断面図である。
【０１２６】
図２６は、図２４のXXVI−XXVI´線に沿う断面図である。
【０１２７】
図２７は、本発明のタイマ装置の一実施形態におけるハンドル反転用板ばねを示す正面図である。
【０１２８】
なお、図２２において、図中の一点鎖線は、切断面の位置を示している。
【０１２９】
接点機構３は、絶縁基体３ａ、トリガー接点ＴＣ、負荷接点ＬＣおよび一対のハンドル反転用板ばね３ｃ、３ｃからなる。
【０１３０】
絶縁基体３ａは、上面から見て四角形をなしていて、上面がほぼ平坦な面であるが、トリガー接点装着部３ａ１、負荷接点装着部３ａ２、ハンドル反転用板ばね装着部３ａ３および枢軸支承突部３ａ４が形成され、また下面の四隅に支持脚３ａ５が形成されている。支持脚３ａ５は、主配線基盤ＰＢ１の前後両側面の左右から外方へ突出して、ボディ１ａの支承段部１ａ８に当接して支持される。また、発光ダイオード挿通孔３ａ６が上下方向に貫通して形成されている。トリガー接点装着部３ａ１は、トリガー接点ＴＣを構成する固定接点圧入部溝３ａ１１および可動接点圧入溝３ａ１２からなる。負荷接点装着部３ａ２は、固定接点圧入部溝３ａ２１および可動接点圧入溝３ａ２２からなる。ハンドル反転用板ばね装着部３ａ３は、後述するハンドル反転用板ばね３ｃの両端を圧入する溝から構成されている。枢軸ストッパ３ａ４は、操作部２の枢軸部２ａ２が過度に押し下げられたときに枢軸部枢軸部２ａ２の下面に当接する位置に一対が互いに離間し突出して形成されている。
【０１３１】
トリガー接点ＴＣは、固定接点ＴＣ１および可動接点ＴＣ２からなる。固定接点ＴＣ１は、固定接点圧入部溝３ａ１１に圧入されて絶縁基体３ａの上面に固定され、先端側に突状に折り曲げて形成した接点部ＴＣ１１を、基端は絶縁基体３ａの側面に添接して折り曲げてから絶縁基体３ａの側方へ突出させた接続舌片ＴＣ１２を、それぞれ備えている。可動接点ＴＣ２は、可動接点圧入部横溝３ａ１２に圧入されて絶縁基体３ａの上面に固定され、先端側に接点鋲ＴＣ２１を、基端は絶縁基体３ａの側面に添接して折り曲げてから絶縁基体３ａの側方へ突出させた接続舌片ＴＣ２２を、それぞれ備えている。そして、トリガー接点ＴＣは、常開形に構成されている。
【０１３２】
負荷接点ＬＣは、固定接点ＬＣ１および可動接点ＬＣ２からなる。固定接点ＬＣ１は、固定接点圧入部溝３ａ２１に圧入されて絶縁基体３ａの上面に固定され、先端側に接点鋲（図示しない。）を固着した接点部ＬＣ１１を、基端は絶縁基体３ａの側面に添接して折り曲げてから絶縁基体３ａの側方へ突出させた接続舌片ＬＣ１２を、それぞれ備えている。可動接点ＬＣ２は、可動接点圧入部横溝３ａ２２に圧入されて絶縁基体３ａの上面に固定され、先端側に接点鋲ＬＣ２１を、基端は絶縁基体３ａの側面に添接して折り曲げてから絶縁基体３ａの側方へ突出させた接続舌片ＬＣ２２を、それぞれ備えている。そして、負荷接点ＬＣは、常開形に構成されている。
【０１３３】
ハンドル反転用板ばね３ｃは、図２７に示すように、細長い板ばねを山形状に折り曲げて形成されていて、その両端をハンドル反転用板ばね装着部３ａ３の溝に圧入されて絶縁基体３ａに装着されている。
【０１３４】
そうして、接点機構３は、後述する主配線基板ＰＢ１の所定の位置にトリガー接点ＴＣの接続舌片ＴＣ１１、ＴＣ２２および負荷接点ＬＣの接続舌片ＬＣ１１、ＬＣ２２をはんだ付けすることにより、主配線基板ＰＢ１の上面に接続および固定される。
【０１３５】
＜電子化タイマ回路ＥＴＣについて＞
電子化タイマ回路ＥＴＣは、図２において既に説明したように、主配線基板ＰＢ１および付加配線基板ＰＢ２に分割して実装されている。そして、主配線基板ＰＢ１および付加配線基板ＰＢ２は、図４、図５および図８に示すように、ケース１内に配置されている。すなわち、主配線基板ＰＢ１は、ボディ１ａの開口端を覆合するような位置に固定されている。これは、接点機構３の絶縁基体３ａの四隅に形成された脚部３ａ５がボディ１ａの支承段部１ａ８に係止することにより、絶縁基体３ａを介してボディ１ａ内に支持されるからである。そして、主配線基板ＰＢ１に実装された回路部品は、回路部品収納室１ａ１内に収納される。一方、付加配線基板ＰＢ２は、主配線基板ＰＢ１を介してボディ１ａ内の隔壁１ａ３によって主配線基板ＰＢ１に実装された回路部品と干渉しないように垂下した状態でボディ１ａ内に支持される。
【０１３６】
＜端子ｔ０、ｔ１、ｔ２について＞
図２８は、本発明のタイマ装置の一実施形態における機構動作を説明する縦断面説明図である。
【０１３７】
図２９は、同じく接点機構および操作部の機構動作を説明する拡大縦断面説明図である。
【０１３８】
各図において、図３ないし図２７と同一部分については同一符号を付して説明は省略する。しかし、これらの図は図３ないし図２７に示す機構とは細部について相違しているが、主として機構動作の説明用として理解されるべきである。
【０１３９】
図１および図２における端子ｔ０、ｔ１、ｔ２は、図２８に示すように、端子金具１１、鎖錠舌片１２およびリリース釦１３からなり、ボディ１ａの端子収納室１ａ４内に収納されている。
【０１４０】
＜動作表示部ＯＤについて＞
動作表示部ＯＤは、図２８に示すように、その発光ダイオードＬＥＤが主配線基板ＰＢ１の上面に実装され、接点機構３の絶縁基体３ａの発光ダイオード挿通孔３ａ６を貫通して操作部２の表示窓２ｂに対向する位置に臨んでいる。このため、操作部２の外側にその発光が導出されて動作表示を行う。
【０１４１】
＜機構動作について＞
図２８および図２９に示す状態は、トリガー接点ＴＣおよび図示していない負荷接点がオフした状態である。この状態で動作表示部ＯＤの発光ダイオードＬＥＤは点灯している。このため、タイマ装置の所在を表示するとともに、操作待ちであることを示す。
【０１４２】
今、操作部２を図において時計回り方向へ回動させると、操作部２は枢軸部２ａ２を回動中心として回動し、その脚部２ａ３が接点機構３のハンドル反転用板ばね３ａ３の図において右側の斜面の上をその弾力に抗して変形させながら摺接していき、やがてハンドル反転用板ばね３ａ３の稜線部を超えると、左側の反対側の斜面に移動すると、斜面に沿って急速に摺接して反転が行われる。これにより、操作部２の下面がトリガー接点ＴＣの可動接点ＴＣ２を押圧するので、トリガー接点ＴＣはオンする。電子化タイマ装置ＥＴＣの作用によりこれに接続している負荷はオンする。なお、負荷接点も同様にオンする。また、動作表示部ＯＤは、消灯してタイマ装置がオンしていることを示す。
【０１４３】
次に、操作部２を反時計回り方向へ回動させると、今度は上記と反対に反転してトリガー接点ＴＣはオフする。すると、電子化タイマ装置ＥＴＣはタイマ動作を開始し、タイマ時間終了まで引き続きこれにつながる負荷をオン状態に保持する。なお、負荷接点は、反転と同時にオフするので、これにつながる負荷はこの時点でオフする。
【０１４４】
タイマ時間が終了すると、電子化タイマ回路ＥＴＣはオフしてこれにつながる負荷を遅延してオフする。また、動作表示部ＯＤは、再び点灯してタイマ装置の所在を示すとともに操作待ちであることを示す。
【０１４５】
【発明の効果】
請求項１ないし８の各発明によれば、開口端に支承段部を形成したボディおよびカバーを備えたケースと、操作部と、電子スイッチ回路およびタイマ制御回路を備えケース内に収納され少なくとも電子スイッチ回路の主要部を含む回路部分がボディの開口を覆うように配設された主配線基板に実装されている電子化タイマ回路と、主配線基板のボス部側の表面側において一部が主配線基板の前後両側から突出しているとともに下面に支持脚を形成し、この支持脚をボディの開口端に形成した支承段部に当接した状態で支持することにより、ボディの開口端に跨座した絶縁基体および電子化タイマ回路を制御するトリガー接点を備えた接点機構とを具備しているので、トリガー接点に作用する押圧力がボディに受け止められ、このため、操作部の操作に伴い不都合な応力が主配線基板に作用しないで、不都合配線な応力が繰り返し主配線基板に作用して主配線基板が破損したり、配線ランドにクラックが生じたりするような不具合を防止できるとともに、トリガー接点またはおよび負荷接点の開閉動作の確実性および信頼性を向上させるタイマ装置を提供することができる。
【０１４６】
請求項２の発明によれば、加えてトリガー接点を主配線基板に回路接続することによって接点機構を主配線基板に固定していることにより、配線が容易で、しかも配線の信頼性が向上するとともに、主配線基板をボディ内の所定の位置に収納できるとともに、主配線基板および接点機構のケースに対する組立作業が容易なタイマ装置を提供することができる。
【０１４７】
請求項３の発明によれば、加えて操作部をボス部と接点機構の間で挟持していることにより、ボス部または接点機構の構造が簡単なタイマ装置を提供することができる。
【０１４８】
請求項４の発明によれば、加えて接点機構の絶縁基体がカバーのボス部内に収納され、操作部がスイッチハンドルであることにより、操作部を薄くして、接点機構をボス部内に収納してボディ内の収納スペースを大きくするとともに操作が容易なタイマ装置を提供することができる。
【０１４９】
請求項５の発明によれば、加えて接点機構がハンドル反転用板ばねを備えるとともに、操作部の脚部が上記板ばねに摺接して反転するように構成されていることにより、反転機構が薄形で小形化に効果的なタイマ装置を提供することができる。
【０１５０】
請求項６の発明によれば、加えて操作部の操作に連動して開閉する負荷接点を備えていることにより、タイマ動作なしに開閉する第１の負荷回路とタイマ制御される第２の負荷回路とを共通の操作で各別に制御するトイレ用遅動スイッチなどとして好適なタイマ装置を提供することができる。
【０１５１】
請求項７の発明によれば、加えてトリガー接点と負荷接点とが絶縁基体の表面に沿って配設されていることにより、全体を薄く、しかも小形に構成したタイマ装置を提供することができる。
【０１５２】
請求項８の発明によれば、加えて電子化タイマ回路のタイマ制御回路を実装した付加配線基板が主配線基板に対してＬ字形に垂下して固定してなるとともにボディの内壁面に沿って配設されていることにより、ボス部内の空間を操作部と接点機構のために有効に利用することが可能なタイマ装置を提供することができる。
【図面の簡単な説明】
【図１】本発明のタイマ装置の一実施形態における付加回路との結線を示す回路図
【図２】本発明のタイマ装置の一実施形態における内部回路構成を示す回路図
【図３】本発明のタイマ装置の一実施形態における一部を除去して示す正面図
【図４】同じく内部機構を説明する一部を除去して示す断面図
【図５】本発明のタイマ装置の一実施形態におけるボディを示す平面図
【図６】図５におけるVI−VI´線に沿う断面図
【図７】図５におけるVII−VII´線に沿う断面図
【図８】図５におけるVIII−VIII´線に沿う断面図。
【図９】図５におけるIX−IX´線に沿う断面図
【図１０】本発明のタイマ装置の一実施形態におけるカバーを示す正面図
【図１１】同じく平面図
【図１２】同じく底面図
【図１３】同じく中央縦断面図
【図１４】本発明のタイマ装置の一実施形態における操作部を示す正面図
【図１５】同じく平面図
【図１６】同じく中央縦断面図
【図１７】同じく脚部を構成する操作ばねを示す拡大正面図
【図１８】同じく拡大平面図
【図１９】同じく表示窓を示す拡大平面図
【図２０】同じく拡大中央縦断面図
【図２１】同じく透明カバーを示す中央縦断面図
【図２２】本発明のタイマ装置の一実施形態における接点機構を示す平面図
【図２３】図２２のXXII−XXII´線に沿う断面図
【図２４】本発明のタイマ装置の一実施形態における絶縁基板を示す平面図
【図２５】図２４のXXV−XXV´線に沿う断面図
【図２６】図２４のXXVI−XXVI´線に沿う断面図
【図２７】本発明のタイマ装置の一実施形態におけるハンドル反転用板ばねを示す正面図
【図２８】本発明のタイマ装置の一実施形態における機構動作を説明する縦断面説明図
【図２９】同じく接点機構および操作部の機構動作を説明する拡大縦断面説明図
【符号の説明】
１…ケース
１ａ…ボディ
１ａ１…回路部品収納室
１ａ２…端子収納室
１ａ３…隔壁
１ａ５…リリース釦操作孔
１ａ８…支承段部
１ｂ…カバー
１ｂ１…ボス部
１ｂ１１…開口
１ｂ１２…中空部
１ｂ２…取付枠装着部
２…操作部
２ａ…操作部本体
２ａ３…脚部
２ａ３１…突部
２ａ３２…操作ばね
２ｂ…表示窓
２ｃ…透明カバー
３…接点機構
３ａ…絶縁基体
３ａ４…枢軸ストッパ
３ａ５…支持脚
ＰＢ１…主配線基板
ＰＢ２…付加配線基板
ＴＣ…トリガー接点
ＴＣ２１…接続舌片
ＴＣ２２…接続舌片
【図１】
0004457468.tif 000002
【図２】
0004457468.tif 000003
【図３】
0004457468.tif 000004
【図４】
0004457468.tif 000005
【図５】
0004457468.tif 000006
【図６】
0004457468.tif 000007
【図７】
0004457468.tif 000008
【図８】
0004457468.tif 000009
【図９】
0004457468.tif 000010
【図１０】
0004457468.tif 000011
【図１１】
0004457468.tif 000012
【図１２】
0004457468.tif 000013
【図１３】
0004457468.tif 000014
【図１４】
0004457468.tif 000015
【図１５】
0004457468.tif 000016
【図１６】
0004457468.tif 000017
【図１７】
0004457468.tif 000018
【図１８】
0004457468.tif 000019
【図１９】
0004457468.tif 000020
【図２０】
0004457468.tif 000021
【図２１】
0004457468.tif 000022
【図２２】
0004457468.tif 000023
【図２３】
0004457468.tif 000024
【図２４】
0004457468.tif 000025
【図２５】
0004457468.tif 000026
【図２６】
0004457468.tif 000027
【図２７】
0004457468.tif 000028
【図２８】
0004457468.tif 000029
【図２９】
0004457468.tif 000030